(57)【要約】【課題】　シ−ト状のレド−ムの着脱構造が簡潔で、取扱操作が簡単容易で、コストを下げることが可能なアンテナ装置を実現する。【解決手段】　パラボラ反射鏡（１）の開口部の周縁に固定して取付けたリング状の支持枠（２）の前面に、リング状のシ−ルド板（３）をヒンジ金具（４）と開閉錠（５１〜５３）で取付ける。開閉錠（５１〜５３）の各ロックを破ると、シ−ルド板（３）がヒンジ金具（４）の支軸の周りに回転可能となる。支持枠（２）の周縁に、シ−ルド板（３）の後部周縁を密着させて開閉錠（５１〜５３）をロックすることにより、支持枠（２）の周縁に、シ−ルド板（３）を固定することができる。シ−ルド板（３）の前部周縁の内側にリング状の溝（７）を穿ち、弾力性に富む線状の押さえ金具（８）と溝（７）の底壁及び側壁の間にレド−ム（６）の周辺部を挟み、押さえ金具（８）の両端部の対向間隙間に楔状の金具（９）を挿入し、締付け螺子（１０）で固定する。【選択図】　　　　図１
2004048806.tif 000002
【特許請求の範囲】
【請求項１】
　パラボラ反射鏡の開口周縁に取り付けたリング状の支持枠と、
　前記リング状の支持枠の前面に設けられ、前部周辺の内側に溝を有するリング状のシ−ルド板と、
　前記リング状のシ−ルド板の前面に設けたシ−ト状のレド−ムと、
　前記リング状の支持枠と前記リング状のシ−ルド板との間に取り付けたヒンジ金具と、
　前記リング状の支持枠と前記リング状のシ−ルド板との間に、円周方向に適宜間隔を隔てて適宜数取り付けた開閉錠とを備え、
　前記リング状のシ−ルド板は、前記ヒンジ金具の回転軸の周りに回転可能であり、
　前記リング状のシ−ルド板は、前記開閉錠によって前記リング状の支持枠の前面に固定可能に取り付けられ、
　前記シ−ト状のレド−ムの周辺部を、前記リング状のシ−ルド板の前部周辺の内側に設けた前記溝内に挿入し、弾力性を有する線状の押さえ金具と前記溝部の内底および内側壁とによって前記シ−ト状のレド−ムの周辺部を固定したことを特徴とするアンテナ装置。
【発明の詳細な説明】
【技術分野】
【０００１】
　本発明は、例えば、ミリ波通信に好適なアンテナ装置に関するもので、詳しくは、一次放射器および反射鏡面等への砂塵、雨滴または降雪等の付着を防ぐためのレド−ムの取り付け構造および副反射鏡の取り付け構造に関するものである。
【背景技術】
【０００２】
　図３（ａ）は、従来のアンテナ装置の一例を示す一部切欠部を有する側面図、図３（ｂ）は、図３（ａ）における切欠部の拡大図であり、１はパラボラ反射鏡、２はパラボラ反射鏡１の開口周縁に設けたリング状の支持枠、３はリング状の支持枠２に取り付けたリング状のシ−ルド板、６はシ−ト状のレド−ムで、その周辺部を、リング状のシ−ルド板３の前部周縁に設けた鍔部３１とリング状の押さえ金具１８との間に挟み、鍔部３１とリング状の押さえ金具１８との円周方向に適宜間隔を隔てて適宜数設けたボルト１９ｎ、およびナット２０ｎによって、シ−ト状のレド−ム６の周辺部およびリング状の押さえ金具１８をリング状のシ−ルド板３の鍔部３１に固定することによってシ−ト状のレド−ム６の取り付けを行うように構成してある。
【０００３】
　図４（ａ）もまた、従来のアンテナ装置の一例を示す一部切欠部を有する側面図、図４（ｂ）は、図４（ａ）における切欠部の拡大図であり、２１ｎは、リング状の支持枠２に、円周方向に適宜間隔を隔てて適宜数取り付けたＬ字形支持金具、２２ｎはＪ形ボルトで、Ｌ字形支持金具２１ｎに穿った貫通孔（Ｊ形ボルト２２ｎの軸径より適宜大なる内径を有する貫通孔）に滑動自在に挿通し、ボルト２３ｎとＬ字形支持金具２１ｎとの間に介装したスプリング２４ｎの弾力によって、Ｊ形ボルト２２ｎが常時図面の左側に引かれるように形成してある。
　２５ｎはＪ形ボルト２２ｎの彎曲部に挿通支持された支持棒、２６ｎは支持紐で、その一端をシ−ト状のレド−ム６の周辺部のうち、円周方向に適宜間隔を隔てた複数箇所に固着し、他端に形成したリング状部分に支持棒２５ｎを挿通してある。
　なお、支持紐２６ｎは、シ−ト状のレド−ム６の周辺部の固着箇所に２本ずつ取り付け、各他端部に形成したリング状部分に支持棒２５ｎを挿通するに当たって２個のリング状部分の間にＪ形ボルト２２ｎの彎曲部が介在するようにして結合させてある。
【０００４】
　図５（ａ）もまた、従来のアンテナ装置の一例を示す一部切欠部を有する側面図、図５（ｂ）は、図５（ａ）における切欠部の拡大図であり、このアンテナ装置においては、リング状のシ−ルド板３の後部周縁に突設する鍔部３２をリング状の支持枠２の鍔部２１にボルト２７ｎとナット２８ｎで固定し、リング状のシ−ルド板３の前部周縁に突設する鍔部３１とリング状の押さえ金具１８の間にシ−ト状のレド−ム６の周辺部を挟み、ボルト１９ｎとナット２０ｎで固定してある。
【０００５】
　図６（ａ）もまた、従来のアンテナ装置の一例を示す一部切欠部を有する側面図、図６（ｂ）は、図６（ａ）における切欠部の拡大図であり、このアンテナ装置においては、リング状のシ−ルド板３の後部周縁に突設する鍔部３２と反射鏡１の周縁部とを、蝶螺子２９ｎ、スペ−サ３０ｎ、パッキン３１ｎおよび押さえ金具３２ｎによって結合し、リング状のシ−ルド板３の前部周縁に突設する鍔部３１とリング状の押さえ金具１８の間にシ−ト状のレド−ム６の周辺部を挟み、ボルト１９ｎとナット２０ｎで固定してある。
【０００６】
　図７（ａ）もまた、従来のアンテナ装置の一例を示す一部切欠部を有する側面図、図７（ｂ）は、図７（ａ）における切欠部の拡大図であり、このアンテナ装置においては、リング状のシ−ルド板３の後部周縁に突設する鍔部３２と反射鏡１の周縁部とを、比較的大形のＪ形ボルト３３ｎと比較的大形のナット３４ｎによって結合し、リング状のシ−ルド板３の前部周縁に突設する鍔部３１とリング状の押さえ金具１８の間にシ−ト状のレド−ム６の周辺部を挟み、ボルト１９ｎとナット２０ｎで固定してある。
【０００７】
　なお、図３ないし図７において、ボルト１９ｎ、ナット２０ｎ、Ｌ字形支持金具２１ｎ、Ｊ型ボルト２２ｎ、ナット２３ｎ、スプリング２４ｎ、支持棒２５ｎ、支持紐２６ｎ、ボルト２７ｎ、ナット２８ｎ、蝶螺子２９ｎ、スペ−サ３０ｎ、パッキン３１ｎ、押さえ金具３２ｎ、比較的大形のＪ型ボルト３３ｎ、比較的大形のナット３５ｎ等は、反射鏡１、リング状の支持枠２およびリング状のシ−ルド板３等の各周りに各複数個設けられているもので、これらの各々には、１から複数個の個数を表す数字を添字として付した符号を付すべきであるが、各図の（ｂ）図、すなわち、一部切欠部の拡大図中において添字としてｎを付した符号で代表的に表してある。
【０００８】
　図８（ａ）もまた、従来のアンテナ装置の一例を示す断面図であり、１はパラボラ反射鏡、２はリング状の支持枠、３はリング状のシ−ルド板、６はシ−ト状のレド−ム、１１は一次放射器、３５は台座金で、外周面に螺子を刻んである。
　３６は副反射鏡で、図８（ｂ）に拡大断面図を示すように、副反射鏡３６の基部外周面に螺子を刻んである。
　３７は副反射鏡３６の支持筒で、適当な固体誘電体より成り、図８（ｃ）に拡大断面図を示すように、支持筒３７の上端部および下端部の各内周面に螺子を刻み、図８（ａ）に示すように、支持筒３７の下端部の内周面に刻んだ螺子を台座金３５の外周面に刻んだ螺子と螺合させ、支持筒３７の上端部の内周面に刻んだ螺子と副反射鏡３６の基部外周面に刻んだ螺子とを螺合させて、副反射鏡３６を所要箇所に取り付けてある。
【発明の開示】
【発明が解決しようとする課題】
【０００９】
　図３ないし図７に示した従来のアンテナ装置においては、シ−ト状のレド−ム６を取り付けるために、多数のボルト１９ｎおよびナット２０ｎ（図３）、多数のＬ字形支持金具２１ｎ、Ｊ形ボルト２２ｎ、ナット２３ｎ、スプリング２４ｎ、支持棒２５ｎおよび支持紐２６ｎ（図４）、多数のボルト１９ｎ、２７ｎおよびナット２０ｎ、２８ｎ（図５）、多数のボルト１９ｎ、ナット２０ｎ、蝶螺子２９ｎ、スペ−サ３０ｎ、パッキン３１ｎおよび押さえ金具３２ｎ（図６）、多数のボルト１９ｎ、ナット２０ｎ、比較的大形のＪ形ボルト３３ｎおよび比較的大形のナット３４ｎ（図７）を必要とするため、構造が複雑で、シ−ト状のレド−ム６の着脱に際して、前記各部品の結合および分解に多くの時間と労力を要するため、コスト高となるのを避けることができない。
　また、図８に示した従来のアンテナ装置においては、副反射鏡３６を所要箇所に取り付けるために固体誘電体より成る支持筒３７を用いているが、この支持筒３７の肉圧を厚くすると、支持筒３７における誘電体損失のために副反射鏡３６からの反射波の減衰が大となり、支持筒３７の肉圧を薄くすると、反射波の減衰は軽減されるが、支持筒３７を所要の寸法に仕上げる加工および上端部ならびに下端部の各内周面への螺子切り加工等に際して、支持筒を破損するおそれが多く、加工が極めて困難で、コスト高となるのを免れることができない。
【課題を解決するための手段】
【００１０】
　本発明は、パラボラ反射鏡の開口周縁に取り付けたリング状の支持枠と、リング状の支持枠の前面に設けたリング状のシ−ルド板と、リング状のシ−ルド板の前面に設けたシ−ト状のレド−ムとを備えるとともに、リング状の支持枠とリング状のシ−ルド板との間に取り付けたヒンジ金具の回転軸の周りにリング状のシ−ルド板が回転可能であるとともに、リング状の支持枠とリング状のシ−ルド板との間に、円周方向に適宜間隔を隔てて適宜数取り付けた開閉錠によってリング状のシ−ルド板をリング状の支持枠の前面に固定可能に取り付け、リング状のシ−ルド板の前部周辺の内側に設けた溝内にシ−ト状のレド−ムの周辺部を挿入し、弾力性を有する線状の押さえ金具と溝部の内底および内側壁とによってシ−ト状のレド−ムの周辺部を固定するように構成したアンテナ装置を実現することによって、従来のアンテナ装置の欠点を除こうとするものである。
【発明の効果】
【００１１】
　本発明アンテナ装置においては、リング状の支持枠へのリング状のシ−ルド板の着脱構造およびリング状のシ−ルド板の前面へのシ−ト状のレド−ムの着脱構造が簡潔で、取り扱い操作が極めて簡単容易でコストを低下させることができ、また、副反射鏡の取り付けも、従来のように、加工の極めて困難な固体誘電体より成る支持筒を用いることなく、構造、製作、取扱が簡潔容易で、電磁波の放射特性にもほとんど悪影響を与えるおそれのない３本の支持脚を用いているため、矢張りコストを低下させることが可能である。
【発明を実施するための最良の形態】
【００１２】
　以下、図面を参照して本発明の実施例を詳細に説明する。
　なお、実施例を説明するための全図において、同一機能を有するものは同一符号を付け、その繰り返しの説明は省略する。
　図１（ａ）は、本発明の一実施例を示す側面図（一部切欠箇所を示した側面図）、図１（ｂ）はその正面図（一部切欠箇所を示した正面図）、図１（ｃ）は、図１（ａ）に示した切欠箇所の切欠拡大図、図１（ｄ）は、図１（ｂ）に示した切欠箇所の切欠拡大図であある。
　同図において、１はパラボラ反射鏡で、図には現われていないが、反射鏡１の反射面の焦点に一次放射器が取り付けられ、その放射波が反射鏡１の反射面で反射され、反射鏡１の開口面からほぼ平面波として放射されるか、一次放射器の放射波を副反射鏡で反射させ、その反射波を反射鏡１の反射面で再び反射させて、開口面からほぼ平面波となって放射されるように構成してあること従来と同様である。
　２は反射鏡１の開口周縁に固定して取り付けられたリング状の支持枠、３はリング状のシ−ルド板、４はヒンジ金具で、リング状の支持枠２とリング状のシ−ルド板３の間に取り付けてある。
　５１ないし５３は開閉錠で、円周方向に適宜間隔を隔てて、リング状の支持枠２とリング状のシ−ルド板３の間に取り付けてある。
　図には３個の開閉錠５１ないし５３を設けた場合を例示してあるが、例えば、２個または４個のようにアンテナの大きさ等に応じて適宜増減して差し支えない。
　６はシ−ト状のレド−ム、７はリング状のシ−ルド板３の前部周辺の内側に設けたリング状の溝、８は弾力性に富む線状の押さえ金具、９は楔状の金具、１０は締め付け螺子である。
【００１３】
　開閉錠５１ないし５３の各ロックを破り、リング状のシ−ルド板３をヒンジ金具４の支軸の周りに回転させると、リング状のシ−ルド板３の内部を露出させることができるから、その状態で、図１（ｃ）に示すように、シ−ト状のレド−ム６の周辺部をリング状のシ−ルド板３の前部周辺の内側に設けたリング状の溝７内に挿入し、弾力性に富む線状の押さえ金具８を、溝７内に挿入装着すると、シ−ト状のレド−ム６の周辺部が線状の押さえ金具８とリング状の溝７の内底および内側壁との間に挟まれ、更に、図１（ｄ）に示すように、線状の押さえ金具８の両端部の対向間隙間に楔状の金具９を挿入して締め付け螺子１０を締め付けると、楔状の金具９が線状の押さえ金具８の両端部の対向間隙間に深く割って入り、線状の押さえ金具８がシ−ト状のレド−ム６の周辺部を強く押圧して、シ−ト状のレド−ム６の周辺部をリング状の溝７内に確実に固定する。
　以上の作業の終了後、リング状のシ−ルド板３をヒンジ金具４の支軸の周りに回転させてリング状のシ−ルド板３の後部周辺部をリング状の支持枠２の前部周辺部に密着させて開閉錠５１ないし５３を各ロックすることにより、シ−ト状のレド−ム６の取り付けが終了する。
【００１４】
　図２（ａ）もまた、本発明の一実施例を示す断面図であり、１はパラボラ反射鏡、２は反射鏡１の開口周縁に固定して取り付けたリング状の支持枠、３はリング状のシ−ルド板、６はシ−ト状のレド−ムで、これらは図１に示したものと同様の構成である。
　１１は一次放射器、１２は台座金、１３は副反射鏡、１４１ないし１４３は支持脚で、図２（ｂ）に要部の拡大側面図を、図２（ｃ）に要部の平面図を示すように、支持脚１４１ないし１４３の各上端部を、副反射鏡１３の外側面を、円周方向にほぼ３等分する箇所に設けた突起１５１ないし１５３に各々取り付けた支軸の周りに各回転自在に取り付け、支持脚１４１ないし１４３の各下端部を、袋ナット１６１ないし１６３によって、反射鏡１の反射面に取り付けたボルト１７１ないし１７３に着脱自在に取り付け、各袋ナット１６１ないし１６３の締め付け程度を調整して、支持脚１４１ないし１４３の各長さを調整して副反射鏡１３を所要の位置および姿勢、すなわち、一次放射器１１から放射され、副反射鏡１３で反射され、反射鏡１で再反射された電磁波が反射鏡１の開口面からほぼ平面波として放射されるように、副反射鏡１３を所要の位置において所要の姿勢を保たせるように構成してある。
　以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００１５】
【図１】本発明の実施例を示す図である。
【図２】本発明の実施例を示す図である。
【図３】従来のアンテナ装置を示す図である。
【図４】従来のアンテナ装置を示す図である。
【図５】従来のアンテナ装置を示す図である。
【図６】従来のアンテナ装置を示す図である。
【図７】従来のアンテナ装置を示す図である。
【図８】従来のアンテナ装置を示す図である。
【符号の説明】
【００１６】
　１　パラボラ反射鏡
　２　リング状の支持枠
　２１　鍔部
　３　リング状のシ−ルド板
　３１，３２　鍔部
　４　ヒンジ金具
　５１〜５３　開閉錠
　６　シ−ト状のレド−ム
　７　リング状の溝
　８　線状の押さえ金具
　９　楔状の金具
　１０　締め付け螺子
　１１　一次放射器
　１２　台座金
　１３　副反射鏡
　１４１〜１４３　支持脚
　１５１〜１５３　突起
　１６１〜１６３　袋ナット
　１７１〜１７３　ボルト
　１８　リング状の押さえ金具
　１９ｎ　ボルト
　２０ｎ　ナット
　２１ｎ　Ｌ字形支持金具
　２２ｎ　Ｊ形ボルト
　２３ｎ　ナット
　２４ｎ　スプリング
　２５ｎ　支持棒
　２６ｎ　支持紐
　２７ｎ　ボルト
　２８ｎ　ナット
　２９ｎ　蝶螺子
　３０ｎ　スペ−サ
　３１ｎ　パッキン
　３２ｎ　押さえ金具
　３３ｎ　Ｊ形ボルト
　３４ｎ　ナット
　３５　台座金
　３６　副反射鏡
　３７　支持筒
【図１】
2004048806.tif 000003
【図２】
2004048806.tif 000004
【図３】
2004048806.tif 000005
【図４】
2004048806.tif 000006
【図５】
2004048806.tif 000007
【図６】
2004048806.tif 000008
【図７】
2004048806.tif 000009
【図８】
2004048806.tif 000010